(57)【要約】例えば、車両用ペダルのドラムなどの、回転位置センサのロータに保持される磁石アセンブリ。車両用ペダルのドラムは、磁石アセンブリのための保持ポケットを含む。一つの実施形態において、磁石アセンブリは、一組の間隙を介した脚部及び脚部の外側に隣接する一組の磁極片を備えた磁石を含む。磁極片の各々は、車両用ペダルのドラムにおける保持ポケットの材料に押し込まれて磁石アセンブリを車両用ペダルに保持する複数個の先の尖ったバーブを含む。【選択図】図３
2017537306.tif 000002
【特許請求の範囲】
【請求項１】
磁石と、
前記磁石に取り付けられており、ロータの材料に押し込まれて磁石アセンブリを回転位置センサアセンブリの前記ロータに保持するように適応する少なくとも第一のバーブをその各々が画定する一組の金属磁極片と、を含んだ、前記回転位置センサアセンブリの前記ロータにおける保持に適応する磁石アセンブリ。
【請求項２】
前記ロータがクリップを含み、当該磁石アセンブリが前記クリップに保持され、前記一組の磁極片における前記少なくとも第一のバーブが前記クリップの材料に押し込まれて当該磁石アセンブリを前記ロータに保持する、請求項１に記載の磁石アセンブリ。
【請求項３】
前記磁石が、略Ｕ字形であり、一組の間隙を介した脚部を含み、前記一組の金属磁極片が、前記磁石の前記一組の脚部それぞれの外面に取り付けられた、請求項２に記載の磁石アセンブリ。
【請求項４】
前記回転位置センサアセンブリの前記ロータが、車両用ペダルのドラムである、請求項３に記載の磁石アセンブリ。
【請求項５】
ポケットを画定する遠位ドラムを含むペダルと、
前記ペダルの前記ドラムに保持された磁石アセンブリと、を備えており、前記磁石アセンブリが、一組の間隙を介した脚部、及び前記磁石の前記一組の脚部それぞれの外面に隣接する一組の金属磁極片を含み、前記一組の磁極片の各々が、前記ドラムにおける前記ポケットの材料に押し込まれて前記磁極片及び前記磁石アセンブリを前記ペダルの前記ドラムに保持する第一の組の及び第二の組のバーブを画定する一組の間隙を介しかつ角を成す側端を含む、車両用ペダルアセンブリ。
【請求項６】
前記第二の組のバーブが前記第一の組のバーブよりも短い、請求項５に記載の車両用ペダルアセンブリ。
【請求項７】
プラスチック材料で作られ、前記ロータの前記プラスチック材料に押し込まれて前記磁石を前記ロータに保持する、前記磁石における少なくとも第一のバーブを備えた、非接触センサアセンブリの前記ロータを前記磁石に保持するためのアセンブリ。
【請求項８】
前記ロータが車両用ペダルの前記ドラムである、請求項７に記載のアセンブリ。
【請求項９】
前記磁石が、少なくとも第一の磁極片、及び前記少なくとも第一の磁極片に形成された前記少なくとも第一のバーブを含む、請求項８に記載のアセンブリ。
【請求項１０】
前記車両用ペダルの前記ドラムがポケットを画定し、前記磁石が、前記ドラムの前記ポケット内に延在する基部を含み、一組の間隙を介した磁石セクションが、前記基部から一体で突き出て、そして一組の金属磁極片が、前記それぞれの磁石セクションの外面に隣接し、前記少なくとも第一のバーブが、前記一組の磁石磁極片の各々において画定され、前記ドラムにおける前記ポケットの前記プラスチック材料に押し込まれて前記ペダルの前記ドラムに磁石を保持する、請求項９に記載のアセンブリ。
【請求項１１】
前記一組の間隙を介した磁石セクションの各々が、対向して分岐するリブを含み、前記磁石磁極片の各々が、前記それぞれの一組の間隙を介した磁石セクションの前記それぞれの対向して分岐するリブに隣接する対向して分岐する側端を含む、請求項１０に記載のアセンブリ。
【請求項１２】
前記一組の磁極片の各々が、前記磁石の前記基部に画定された少なくとも第一のノッチ内に延在する少なくとも第一のタブを含む、請求項１０に記載のアセンブリ。
【請求項１３】
前記ペダルの前記ドラムがポケットを画定し、前記磁石が、前記ドラムの前記ポケットに収まる基部を含み、前記ポケットまたは前記基部の一方が少なくとも第一のスロットを画定し、前記ポケットまたは前記基部の他方が、前記少なくとも第一のスロット内に収まって前記磁石の前記基部を前記ドラムの前記ポケットに保持する少なくとも第一のリブを含む、請求項８に記載のアセンブリ。
【発明の詳細な説明】
【技術分野】
【０００１】
関連出願及び同時係属出願の相互参照
本願は、本明細書に引用されるすべての参照と同様にその開示全体を参照文献として本明細書に援用し、２０１４年１０月９日に出願された米国仮特許出願第６２／０６１，８２５号の出願日及び開示の利益を主張する。
【０００２】
本発明は、概して車両用ペダルアセンブリ及び他のタイプの回転位置センサのための磁石アセンブリに関し、より具体的には、非接触回転位置センサタイプの車両用アクセルペダルアセンブリのための磁石アセンブリに関連する。
【背景技術】
【０００３】
本発明は、ペダルのドラムの前面に取り付けられた磁石アセンブリ、及びペダルの回転に反応する磁石アセンブリによって生成された磁束の変化を検出してペダルの位置を測定できるように適応するホール効果センサなどのセンサを含む、非接触ペダル位置検出アセンブリを備えた、例えば、Ｗｕｒｎへの米国特許第７，４０４，３４２号などに開示されているタイプの車両用アクセルペダルアセンブリなどの回転センサアセンブリの磁石アセンブリに関する。
【発明の概要】
【発明が解決しようとする課題】
【０００４】
本発明は、そのような車両用アクセルペダルアセンブリまたは他のタイプの回転位置センサアセンブリのための新規のより安価の磁石アセンブリに関する。
【課題を解決するための手段】
【０００５】
本発明は、概して、回転位置センサアセンブリのロータにおける保持に適応する磁石アセンブリであって、磁石、及び磁石に取り付けられており、ロータの材料に押し込まれて磁石アセンブリを回転位置センサアセンブリのロータに保持するように適応する少なくとも第一のバーブをその各々が画定する一組の金属磁極片を備えた磁石アセンブリに関する。
【０００６】
一つの実施形態において、ロータがクリップを含み、磁石アセンブリがクリップに保持され、そして一組の磁極片における少なくとも第一のバーブが、クリップの材料に押し込まれて磁石アセンブリをロータに保持する。
【０００７】
一つの実施形態において、磁石は、略Ｕ字形であり、一組の間隙を介した脚部を含み、一組の金属磁極片が、磁石の一組の脚部それぞれの外面に取り付けられる。
【０００８】
一つの実施形態において、回転位置センサアセンブリのロータは、車両用ペダルのドラムである。
【０００９】
本発明は、ポケットを画定する遠位ドラムを含むペダル、及びペダルのドラムに保持された磁石アセンブリを含む車両用ペダルアセンブリにも関し、磁石アセンブリは、一組の間隙を介した脚部、及び磁石の一組の脚部それぞれの外面に隣接する一組の金属磁極片を含み、一組の磁極片の各々は、ドラムにおけるポケットの材料に押し込まれて磁極片及び磁石アセンブリをペダルのドラムに保持する第一の組の及び第二の組のバーブを画定する一組の間隙を介しかつ角を成す側端を含む。
【００１０】
一つの実施形態において、第二の組のバーブは、第一の組のバーブよりも短い。
【００１１】
本発明は、さらに、プラスチック材料で作られ、ロータのプラスチック材料に押し込まれてロータに磁石を保持する、磁石における少なくとも第一のバーブを備えた、非接触センサアセンブリのロータを磁石に保持するためのアセンブリに関する。
【００１２】
一つの実施形態において、ロータは、車両用ペダルのドラムである。
【００１３】
一つの実施形態において、磁石は、少なくとも第一の磁極片、及び少なくとも第一の磁極片に形成された少なくとも第一のバーブを含む。
【００１４】
一つの実施形態において、車両用ペダルのドラムがポケットを画定し、磁石は、ドラムのポケット内に延在する基部を含み、一組の間隙を介した磁石セクションが、基部から一体で突き出て、そして一組の金属磁極片が、それぞれの磁石セクションの外面に隣接し、少なくとも第一のバーブが、一組の磁石磁極片の各々において画定され、ドラムにおけるポケットのプラスチック材料に押し込まれてペダルのドラムに磁石を保持する。
【００１５】
一つの実施形態において、一組の間隙を介した磁石セクションの各々が、対向して分岐するリブを含み、磁石磁極片の各々が、それぞれの一組の間隙を介した磁石セクションのそれぞれの対向して分岐するリブに隣接する対向して分岐する側端を含む。
【００１６】
一つの実施形態において、一組の磁極片の各々が、磁石の基部に画定された少なくとも第一のノッチ内に延在する少なくとも第一のタブを含む。
【００１７】
一つの実施形態において、ペダルのドラムがポケットを画定し、磁石は、ドラムのポケットに収まる基部を含み、ポケットまたは基部の一方が少なくとも第一のスロットを画定し、ポケットまたは基部の他方が、少なくとも第一のスロット内に収まって磁石の基部をドラムのポケットに保持する少なくとも第一のリブを含む。
【００１８】
以下の本発明の実施形態の詳細な説明、図面及び添付の特許請求の範囲からより容易に明らかとなる本発明の他の利点及び特徴がある。
【００１９】
添付の図面は、本明細書の一部分を形成し、同様の数字が図面を通じて同様の部分を指定するように用いられる。
【図面の簡単な説明】
【００２０】
【図１】車両用アクセルペダルアセンブリの斜視図である。
【図２】図１に示す車両用アクセルペダルアセンブリの破断鉛直断面図である。
【図３】図１に示す車両用ペダルアセンブリのドラムに取り付けられた、本発明の磁石アセンブリの破断側面図である。
【図４】車両用アクセルペダルアセンブリのペダルの破断分解斜視図である。
【図５】車両用アクセルペダルアセンブリのペダルの別の破断分解斜視図である。
【発明を実施するための形態】
【００２１】
図１及び図２は、その開示及び内容が参照文献として本明細書に明確に援用される、例えば、Ｗｕｒｎへの米国特許第７，４０４，３４２号に示される及びさらには記載されるような非接触回転位置センサタイプの車両用アクセルペダルアセンブリまたはモジュール８０のペダル６０のドラムまたはロータ５０の前面に示す実施形態では取り付けられた、本発明に従う磁石アセンブリ１０（図２〜図５）を含む車両用アクセルペダルアセンブリまたはモジュール８０を描写する。
【００２２】
より具体的には、図１及び図２を参照するように、車両用アクセルペダルアセンブリまたはモジュール８０は、成形熱可塑性材料で作られたペダルハウジング８２を含み、これは、これも成形熱可塑性材料で作られた伸長ペダル６０の略円筒形状のドラム５０を受け入れるようにこれも適応する内部ハウジングキャビティ８４（図２）と連通する下部または前面ハウジング開口８３を画定する。ハウジング８２、より具体的には、その内部ハウジングキャビティ８４は、ペダル６０のドラム５０の前面から延在する磁石アセンブリ１０と、これも内部ハウジングキャビティ８４に位置付けられており、内部ハウジングキャビティ８４から上部または後部ハウジング開口８９（図２）を通じて、かつペダルハウジング８２の上端の外側から外部に延在する電気コネクタ８８に連結するプリント基板８６（図２）に備え付けられた（図面には示さないが、米国特許第７，４０４，３４２号に示す）ホール効果センサとの組み合わせを備えた非接触回転位置センサセンブリを受け入れる及び収容するようにも適応する。
【００２３】
静止シャフト９１が、ドラム５０の内部を通して延在し、対向して画定された（その一つのみを図１に示す）対向する凹部９３、ならびにペダル６０を備え付けるための、より具体的には、ペダル６０のドラム５０を、ペダルハウジング８２及びシャフト９１と相対的に内部ハウジングキャビティ８４内で回転させるための、互いに間隙を介した、ペダルハウジング８２の側壁９５内に延在し、そこに留められた対向端部を含む。
【００２４】
車両用アクセルペダルアセンブリまたはモジュール８０は、さらに、一組の伸縮式の螺旋ばね９６ａ及び９６ｂのそれぞれの第一の端部のための容器９４を画定する第一の遠位端部、ならびに第一の遠位端部に直径方向において対向する第二の遠位端部を備えており、ペダル６０のドラム５０における補足的な形状の曲線及び凸状摩擦面１００と摩擦接触し、かつ係合するように適応する曲線かつ凹状の摩擦面９８を画定する摩擦レバーまたはパッド９２を含むペダルヒステリシスまたは摩擦アセンブリ９０を備える。摩擦レバー９２は、さらに、レバーまたはパッド９２の対向する側面から一体で外側に突出し、ハウジング８２に画定された（図面には示さないが、その一つの実施形態が米国特許第７，４０４，３４２号に示される）それぞれの対向するかつ間隙を介したチークまたは凹部に受け入れられるように適応する、（図面にはその一つのみを示すが、その両方が、米国特許第７，４０４，３４２号における一つの実施形態に示される）一組の同一線上の、間隙を介した、かつ直径方向において対向するトラニオンまたはピン１０２を含む及び画定する。一組のピン１０２は、レバー９２の対向する遠位端部間の、レバー９２における略中央に位置付けられ、レバー９２の縦軸に垂直な方向に延在する、レバー９２のためのシーソータイプのピボット軸を画定する。
【００２５】
伸縮式の螺旋ばね９６ａ及び９６ｂが、ペダル６０の底面と摩擦レバー９２との間に位置付けられ、かつそこを延在し、より具体的には、ペダル６０の底面に隣接するそれぞれの第二の端部、及び摩擦レバー９２における容器９４に隣接し、かつその内部に延在する対向するそれぞれの第一の端部を含む。
【００２６】
示す実施形態では、螺旋ばね９６ａ及び９６ｂは、ペダルハウジング８２の外部に位置付けられ、摩擦レバー９２が、その第一の遠位端部がペダルハウジング８２の外側に位置付けられた容器９４を画定し、第二の遠位端部がペダルハウジング８２の内部キャビティ８４内に位置付けられた摩擦面９８を画定する関係において、ペダル６０とペダルハウジング８２の基部との間に据え付けられる。
【００２７】
車両用アセンブリペダルアセンブリまたはモジュール８０の動作に従い、図１におけるそのアイドル位置からの車両の使用者の足によるペダル６０の押し下げによって、結果として螺旋ばね９６ａ及び９６ｂが圧縮し、ばね９６ａ及び９６ｂの遠位端部が摩擦レバー９２の容器９４内に受け入れられ、摩擦レバー９２の第一の遠位端部に対して力を及ぼし、これが立ち代わって、ハウジング８２と相対的なかつレバー９２におけるピボットピン１０２を中心とした、摩擦レバー９２の旋回またはシーソータイプの運動をもたらし、次にこれが立ち代わって、摩擦レバー９２の対向する遠位端部における摩擦面９８に、ペダル６０のドラム５０の表面に対して増大した摩擦ペダルヒステリシス力を及ぼさせる。
【００２８】
ペダル６０の押し下げは、結果としてハウジングキャビティ８４の内部における、ペダルハウジング８２の対向する側壁９５と相対的な、ドラム５０の回転する反時計回りの運動ももたらし、これが立ち代わって、ドラム５０の外側前面から延在する磁石アセンブリ１０の回転する反時計回りの運動をもたらし、これが立ち代わって、結果として、プリント基板８６に備え付けられた（図面には示さないが、米国特許第７，４０４，３４２号に示す）ホール効果センサによって検出され、ドラム５０及びペダル６０の回転位置を決定するための信号に変換される、磁石アセンブリ１０によって生成された磁束の大きさ及び方向を変化させる。
【００２９】
ペダル６０から使用者が足を取り去ると、螺旋ばね９６ａ及び９６ｂが伸張し、結果として、摩擦レバー９２の旋回及び時計回りの運動をもたらし、これが立ち代わって、結果として、摩擦レバー９２がペダル６０のドラム５０に印加するヒステリシス力を減少させ、結果としてペダル６０が、図１に示すようなそのアイドル位置に戻る。
【００３０】
図２〜図５、特には図４及び図５を参照するように、本発明の磁石アセンブリ１０は、示す実施形態では、一組の間隙を介した、対向するかつ一体であり、そして磁石１２の中心となる略矩形状の基部または主要磁石部分もしくはセクション１８のそれぞれの対向する横方向遠位端から外側に略垂直に突出する略平行で扇状の磁石部分またはセクション１４及び１６を含む単一で一体かつ略Ｕ字形の磁石１２を備える。
【００３１】
鉛直リブ１９（図４及び図５）が、磁石１２の主要部分１８の二つの対向する縦側壁のいずれかの外面から外側に突き出る及び突出する。示す実施形態では、リブ１９は、磁石１２の主要部分１８の対向する縦側壁のいずれかにおける中央に位置付けられ、磁石１２の主要部１８の縦軸の方向に略垂直な鉛直方向に延在する。
【００３２】
磁石１２の主要部１８は、追加的に、複数個の下部または底部の内部に延在するノッチ２１（図５）を画定する。第一の組の間隙を介したかつ平行のノッチ２１が、主要部１８の第一の横方向下部または底部側端に画定され、第二の組の間隙を介したかつ平行のノッチ２１が、第一の組の間隙を介したノッチ２１と直径方向において対向する関係において、主要部１８の第二の横方向下部または底部側端に画定される。ノッチ２１は、鉛直リブ１９と垂直な方向において水平に延在する。リブ１９は、ノッチ２１の間にかつそれらと間隙を介して位置付けられる。
【００３３】
扇状磁石セクション１４と１６とは、間隙を介したかつ互いと相対的に平行の関係において位置し、磁石１２の基部または主要部分１８から、それらの縦軸と略垂直な方向に上方に延在する。空隙または開口スロット２３（図４及び図５）が、磁石１２における二つの扇状磁石セクション１４と１６との間に画定され、それぞれの磁石部分１４、１６及び１８の内面によって境界付けられる。
【００３４】
磁石１２は、磁石１２が内部キャビティ８４内に延在し、プリント基板８６が磁石１２の空隙２３内に延在する関係において、なおも具体的には（図面には示さないが、米国特許第７，４０４，３４２号に示す）ホール効果センサが空隙２３内に位置付けられた関係において、ペダル６０のドラム５０に連結する。
【００３５】
扇状磁石部分１４及び１６の各々は、互いから離れて分岐する、一組の対向する、伸長のかつ角を成す末梢側端２０及び２２、ならびにそれぞれの末梢側端２０及び２２の外面から外側に突き出るそれぞれの伸長リブ２０ａ及び２２ａを含む及び画定する。
【００３６】
磁石アセンブリ１０は、さらに、扇状磁石部分１４及び１６と同じ大まかな扇状及び表面積である一組の平坦な金属（例えば、鋼鉄）の磁束導体または磁極片２４及び２６を備える。
【００３７】
さらに特に図３、図４及び図５に示すように、磁石磁極片２４及び２６の各々は、互いから離れて分岐する、一組の対向する、伸長のかつ角を成す側端２８及び３０、一組の角を成しかつ分岐する側端２８及び３０の下部端部の間を延在する下部伸長水平端を画定する、それらの間の中心となる伸長基部３２、ならびにそれぞれの磁極片２４及び２６の一組の角を成しかつ分岐する側端２８及び３０の上部端部の間を延在する上部伸長曲線端３５を含む略扇状の平坦な金属板の形態である。
【００３８】
磁石磁極片２４及び２６の各々の基部３２の下部端は、磁石磁極片２４及び２６の各々の基部３２の下部端の内部面から外側に略垂直に突出して延在する、一組の間隙を介したかつ平行の内部に湾曲した磁石保持タブ３６を含み及び画定する。
【００３９】
磁石磁極片２４及び２６の各々、より具体的には、その板は、追加的に、組立プロセス中に、磁石アセンブリ１０をドラムポケット１１０内に設置する及び位置付けるための適切なツール（図示せず）を受け入れるまたはそれと協働するように適応する略正方形の貫通穴またはアパーチャ３９を含む。
【００４０】
磁石磁極片２４及び２６の各々は、追加的に、そのそれぞれの角を成す側端２８及び３０に画定及び形成された第一の組の先の尖ったバーブ４０及び４２、これもそれぞれの角を成す側端２８及び３０に画定された第二の組の先の尖ったバーブ４４及び４６、ならびにこれもそれぞれの角を成す側端２８及び３０に画定された一組の内部肩部または凹部４７及び４８を画定する及び含む。
【００４１】
第一の組のバーブ４０及び４２、第二の組のバーブ４４及び４６、ならびに一組の凹部４７及び４８は、それぞれ、それぞれのバーブ４０、４２、４４及び４６の先端すべてがそれぞれの磁極片２４及び２６の上部伸長曲線端３５の方向を向くように、互いと相対的に直径方向において対向する及び同一線上の関係において、それぞれの磁極片２４及び２６のそれぞれの角を成す側端２８及び３０に配置される。追加的に、図３、図４及び図５に示すような磁石磁極片２４及び２６の幾何学的配置では、バーブ４０、バーブ４４及び肩部４７は、バーブ４０が、磁石磁極片２４及び２６の各々の基部３２の端の一つの端部に接して位置付け及び画定され、かつそれから間隙を介した関係、バーブ４４が、バーブ４２の上方に位置付け及び画定され、かつそれから間隙を介した関係、かつ肩部４７が、バーブ４４の上方に位置付け及び画定され、かつそれから間隙を介した関係において、磁石磁極片２４及び２６の各々の角を成す側端２８の全長に沿って位置し、延在する。
【００４２】
類似の様式において、バーブ４２、バーブ４６及び肩部４８は、バーブ４２が、磁石磁極片２４及び２６の各々の基部３２の端の一つの対向する端部に接して位置付け及び画定され、かつそれから間隙を介した関係、バーブ４６が、バーブ４２の上方に位置付け及び画定され、かつそれから間隙を介した関係、かつ肩部４８が、バーブ４６の上方に位置付け及び画定され、かつそれから間隙を介した関係において、磁石磁極片２４及び２６の各々の対向する角を成す側端３０の全長に沿って位置し、延在する。
【００４３】
なおもさらに、図３、図４及び図５に示す実施形態では、第一の組のバーブ４０及び４２は、第二の組のバーブ４４及び４６よりも全長及び端から端までの距離が短く、第二の組のバーブ４４及び４６は、バーブ４０及び４２のそれぞれの第一の設置から内部において、板において間隙を介して設置される。
【００４４】
図３、図４及び図５を再度参照するように、ペダル６０のドラム５０の前面は、周囲に延在する壁１１２によって画定され、ドラム５０の前面外面から外側に突き出る略矩形状の開口キャビティまたはポケットもしくはクリップ１１０を含む及び画定する。略Ｕ字形のノッチ１１４が、壁１１２の対向する横方向セクションの各々に画定され、そこを通して延在し、伸長鉛直スロット１１６が、壁１１２の対向する縦セクションのいずれかの内面に画定され、そして（その組の一つのみを図４及び図５に示す）一組の伸長の、間隙を介したかつ平行の鉛直クラッシュリブ１１８が、壁１１２の対向する縦セクションの各々に画定されたリブ１１８の間にかつそれから間隙を介してスロット１１６が壁１１２の対向する縦セクションのいずれかに沿って中央に位置付けられた関係において、壁１１２の対向する縦セクションの各々の内面から外側に突き出る。示す実施形態では、Ｕ字形のノッチ１１４は、ポケット１１０の縦軸と同一線上に位置し、そしてスロット１１６及びリブ１１８は、対向する側面において、ポケット１１０の縦軸から間隙を介して、さらに、ポケット１１０の縦軸の方向と垂直な方向において延在する関係において位置する。壁１１２は、壁１１２の縦セクションの各々の上部縦端の内面から一体で外側に突出する伸長内部リップ１１３も含む。
【００４５】
本発明に従い、製造及び組立プロセスの一部分として、扇状磁石磁極片２４は、扇状磁石磁極片２４の板の内部の外側面が磁石１２の扇状磁石部分１４の外側面に隣接し、扇状磁石磁極片２４におけるそれぞれのタブ３６が磁石１２の主要部１８のいずれかの横方向側端に画定されたそれぞれのノッチ２１内に延在し、そして扇状磁石磁極片２４のそれぞれの角を成す側端２８及び３０が磁石１２の扇状磁石部分１４のそれぞれのリブ２０ａ及び２２ａの内部端に隣接することによって、磁石磁極片２４を磁石１２の扇状部分１４の外側面に位置付けする及び位置させる関係において、磁石１２に取り付けられる。
【００４６】
同様の様式において、それぞれの扇状磁石磁極片２６は、扇状磁石磁極片２６の板の内部の外側面が磁石１２の対向する扇状磁石部分１６の外側面に隣接し、扇状磁石磁極片２６におけるそれぞれのタブ３６が磁石１２の主要部１８の対向する横方向側端に画定されたそれぞれのノッチ２１内に延在し、そして扇状磁石磁極片２６のそれぞれの角を成す側端２８及び３０が扇状磁石部分１６のそれぞれのリブ２０ａ及び２２ａの内部端に隣接することによって、磁石磁極片２４に直径方向において対向する関係において磁石磁極片２４を磁石１２の扇状部分１６の外側面に位置付けする及び位置させる関係において、磁石１２に取り付けられる。
【００４７】
従って、本発明に従い、製造及び組立プロセスの一部分としても、その結果、そこに取り付けられた磁石磁極片２４及び２６を備えた磁石アセンブリ１０は、ドラム５０の前面におけるポケットまたはクリップ１１０内に磁石１２の主要部１８が収まる及び位置付けられた関係において、より具体的には、磁石１２の主要部１８におけるリブ１９がポケット１１０を画定する壁１１２の内部面に画定されたスロット１１６内に収まる及び位置付けられた関係において、かつ磁石１２の主要部１８の外側末梢壁がドラムポケット１１０を画定する末梢壁１１２の内面と締まりばめ関係において、なおも具体的には、ドラムポケット１１０のそれぞれの対向する縦壁セクションの内面におけるリブ１１８が、磁石１２の主要部１８の対向する縦壁セクションの外面に押し付けられ、ドラムポケット１１０内における磁石アセンブリ１０の固定締まりばめを提供する関係において、ペダル６０のドラム５０に固定される。
【００４８】
ドラムポケット１１０において画定されたＵ字形のノッチ１１４は、磁石アセンブリ１０をドラムポケット１１０内に設置する及び位置付けるために組立プロセス中に使用されるツール（図示せず）のための隙間を割り当てる及び提供する。
【００４９】
また、本発明に従い、図３に示すように、ポケット壁１１２の対向する縦セクションの内部上部端におけるそれぞれのリップ１１３は、それぞれの磁石磁極片２４及び２６のそれぞれの端２８及び３０に画定されたそれぞれの溝４７及び４８内を延在し、それぞれの磁石磁極片２４及び２６におけるそれぞれのバーブ４０、４２、４４及び４６の先端は、ポケット壁１１２の対向する縦セクションの内面の熱可塑性材料内に突き出て侵入し、磁石磁極片２４及び２６を、故に、磁石アセンブリ１０をポケット１１０内にくさびで留める、保持する及びロックする、故に、磁石アセンブリ１０をペダル６０のドラム５０に保持する。
【００５０】
本発明に従う、開示したバーブ４０、４２、４４及び４６を備えた磁石磁極片２４及び２６の使用によって、磁石アセンブリ１０のペダル６０との圧入締まりばめ及び固定が可能になり、磁石アセンブリをペダル６０のドラム５０に熱かしめするのに必要な電流を排除し、故に、より容易に組み立てられ、かつ、より低費用の磁石アセンブリ１０及びペダルアセンブリ８０が提供される。また、第二の組のバーブ４４及び４６よりも短い、それぞれの磁石磁極片２４及び２６における第一の組のバーブ４０及び４２の使用によって、第二の組のバーブ４４及び４６が、ポケット１１０の壁１１２のそれぞれの対向する縦セクションの表面に、第一の組のバーブ４０及び４２以上の量の圧入締まりばめを有することができる。
【００５１】
本発明の新規の特徴の本質及び範囲から逸することなく、例えば、アクセルペダルアセンブリだけでなく、非接触回転位置センサセンブリを組み込み、磁石アセンブリがそのようなアセンブリのロータに保持される他のタイプのアセンブリにも関連した本発明の磁石アセンブリの使用を含む、前述の実施形態の非常に多くの変化及び変更を生じさせることができる。
【００５２】
本明細書に例証した磁石アセンブリに関する限定が全く意図されない、または暗示されないはずであることをさらに理解すべきである。当然ながら、特許請求の範囲の範囲内に収まるようなすべてのそのような変更を添付の特許請求の範囲によって保護することが意図される。
【図１】
2017537306.tif 000003
【図２】
2017537306.tif 000004
【図３】
2017537306.tif 000005
【図４】
2017537306.tif 000006
【図５】
2017537306.tif 000007
【国際調査報告】
2017537306.tif 000008
2017537306.tif 000009